(57)【要約】【課題】非使用時、摩擦体が汚れることを回避できる熱変色性筆記具を提供する。【解決手段】熱変色性インキが吐出可能なペン先と、熱変色性インキの筆跡を摩擦しその際に生じる摩擦熱で該筆跡を熱変色可能な低磨耗性の弾性材料からなる摩擦体３とを備えた熱変色性筆記具であって、摩擦体３の頂部に取付孔３２を設け、摩擦体３の取付孔３２内面と着脱自在に嵌合する保護部材４を備え、摩擦体３の取付孔３２内面に保護部材４が嵌合した状態において、保護部材４の頂部が摩擦体３の頂部よりも外方に位置してなる。保護部材４が、取付孔３２内面と嵌合するロッド部４１と、該ロッド部４１と連設され且つ該ロッド部４１の外径より大きい外径を有する頂壁４２と、該頂壁４２と連設され且つ摩擦体３の外周面を包囲する筒状の側壁４３とを備える。【選択図】  図１
2014141078.tif 000002
【特許請求の範囲】
【請求項１】
熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具であって、前記摩擦体の頂部に取付孔を設け、前記摩擦体の取付孔内面と着脱自在に嵌合する保護部材を備え、前記摩擦体の取付孔内面に前記保護部材が嵌合した状態において、前記保護部材の頂部が前記摩擦体の頂部よりも外方に位置してなることを特徴とする熱変色性筆記具。
【請求項２】
前記保護部材が、取付孔内面と嵌合するロッド部と、該ロッド部と連設され且つ該ロッド部の外径より大きい外径を有する頂壁とを備える請求項１記載の熱変色性筆記具。
【請求項３】
前記保護部材が、前記頂壁と連設され且つ摩擦体の外周面を包囲する筒状の側壁を備える請求項２記載の熱変色性筆記具。
【請求項４】
軸筒の内部に熱変色性インキを収容し、前記軸筒の前端に前記熱変色性インキが吐出可能なペン先を設け、前記軸筒の後端に前記摩擦体を設けた請求項１乃至３の何れかに記載の熱変色性筆記具。
【請求項５】
前記軸筒内に筆記体を前後方向に移動可能に収容し、前記筆記体の内部に熱変色性インキを収容し、前記筆記体の前端に前記熱変色性インキが吐出可能なペン先を設け、前記軸筒に操作部を設け、前記操作部を操作することにより前記筆記体のペン先を軸筒の前端孔から出没可能に構成した請求項４記載の熱変色性筆記具。
【請求項６】
前記軸筒の前部外面及び後部外面に着脱自在に装着されるキャップを備え、前記キャップ内面に、前記キャップ内面と前記軸筒後部外面とが嵌合する後ろ差し嵌合部を設け、前記キャップ内面の後ろ差し嵌合部の内径を前記保護部材の外径より大きく形成した請求項４記載の熱変色性筆記具。
【請求項７】
軸筒の内部に熱変色性インキを収容し、前記軸筒の前端に前記熱変色性インキが吐出可能なペン先を設け、前記軸筒の前部外面に着脱自在に装着されるキャップを備え、前記キャップの頂部外面に前記摩擦体を設けた請求項１乃至３の何れかに記載の熱変色性筆記具。
【請求項８】
取り外された前記保護部材を前記摩擦体以外の部位に着脱自在に設けた請求項１乃至７の何れかに記載の熱変色性筆記具。
【請求項９】
熱変色性インキの像または筆跡を摩擦しその際に生じる摩擦熱で該像または筆跡を熱変色可能な低磨耗性の弾性材料からなる摩擦体を備えた摩擦具であって、
前記摩擦体の頂部に取付孔を設け、前記摩擦体の取付孔内面と着脱自在に嵌合する保護部材を備え、前記摩擦体の取付孔内面に前記保護部材が嵌合した状態において、前記保護部材の頂部が前記摩擦体の頂部よりも外方に位置してなることを特徴とする摩擦具。
【請求項１０】
前記保護部材が、取付孔内面と嵌合するロッド部と、該ロッド部と連設され且つ該ロッド部の外径より大きい外径を有する頂壁とを備える請求項９記載の摩擦具。
【請求項１１】
前記保護部材が、前記頂壁と連設され且つ摩擦体の外周面を包囲する筒状の側壁を備える請求項１０記載の摩擦具。
【請求項１２】
取り外された前記保護部材を前記摩擦体以外の部位に着脱自在に設けた請求項９乃至１１の何れかに記載の摩擦具。
【発明の詳細な説明】
【技術分野】
【０００１】
本発明は、熱変色性筆記具に関する。詳細には、本発明は、熱変色性インキが吐出可能なペン先と、前記熱変色性インキの筆跡を摩擦しその際に生じる摩擦熱で該筆跡を熱変色可能な低磨耗性の弾性材料からなる摩擦体とを備えた熱変色性筆記具、及び熱変色性インキの像または筆跡を摩擦しその際に生じる摩擦熱で該像または筆跡を熱変色可能な低磨耗性の弾性材料からなる摩擦体を備えた摩擦具に関する。
【背景技術】
【０００２】
従来、この種の熱変色性筆記具において、軸胴の後端やキャップの頂部に摩擦体を設ける構成が開示されている（例えば、特許文献１）。
【先行技術文献】
【特許文献】
【０００３】
【特許文献１】特開２００７−２２３３０２号公報
【発明の概要】
【発明が解決しようとする課題】
【０００４】
前記特許文献１の熱変色性筆記具は、摩擦体が常に外部に露出している。そのため、摩擦体の非使用時、ユーザーの指先が摩擦体に接触したり、あるいは熱変色性筆記具を収納体（例えば、ペンケース、ペン立て、または衣服のポケット等）に収納して保管した際に該収納体の内面（例えば、ペンケースの内面、ペン立ての底面、または衣服のポケット内面等）と摩擦体とが接触することにより、摩擦体表面に手垢や埃等が付着し、摩擦体表面が汚れ、さらにその汚れた状態の摩擦体を用いて紙面を摩擦すると、紙面が汚れる不具合があった。
【０００５】
本発明は前記従来の問題点を解決するものであって、非使用時、摩擦体が汚れることを回避できる熱変色性筆記具及び摩擦具を提供しようとするものである。
【０００６】
尚、本発明において、「前」とはペン先側を指し、「後」とはその反対側を指す。
【課題を解決するための手段】
【０００７】
本願の第１の発明は、熱変色性インキが吐出可能なペン先２１と、前記熱変色性インキの筆跡を摩擦しその際に生じる摩擦熱で該筆跡を熱変色可能な低磨耗性の弾性材料からなる摩擦体３とを備えた熱変色性筆記具であって、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合した状態において、前記保護部材４の頂部が前記摩擦体３の頂部よりも外方に位置してなることを要件とする。
【０００８】
前記第１の発明の熱変色性筆記具１は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合した状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【０００９】
また、本願の第１の発明は、前記保護部材４と前記摩擦体３の取付孔３２内面とが着脱自在に嵌合（即ち直接嵌合）してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。前記保護部材４と前記摩擦体３の取付孔３２内面との嵌合は、例えば、圧入嵌合、凹凸嵌合、ネジ嵌合等が挙げられる。
【００１０】
本願の第２の発明は、前記第１の発明の熱変色性筆記具１において、前記保護部材４が、取付孔３２内面と嵌合するロッド部４１と、該ロッド部４１と連設され且つ該ロッド部４１の外径より大きい外径を有する頂壁４２とを備えることを要件とする。
【００１１】
前記第２の発明の熱変色性筆記具１は、前記保護部材４が、取付孔３２内面と嵌合するロッド部４１と、該ロッド部４１と連設され且つ該ロッド部４１の外径より大きい外径を有する頂壁４２とを備えることにより、前記摩擦体３の取付孔３２内面に前記ロッド部４１が嵌合された状態において、前記頂壁４２が摩擦体３の頂部よりも外方に位置してなる。それにより、保護部材４を着脱する際に保護部材４の頂壁４２を把持でき、保護部材４の着脱が容易となり、しかも、保護部材４の頂壁４２により摩擦体３の頂部の汚れを一層防止できる。本発明で、前記ロッド部４１の外径とは、ロッド部４１の最大外径をいい、前記頂壁４２の外径とは、頂壁４２の最大外径をいう。前記頂壁４２の外径は、前記取付孔３２の開口部内径より大きく設定されることが好ましい。
【００１２】
本願の第３の発明は、前記第２の発明の熱変色性筆記具１において、前記保護部材４が、前記頂壁４２と連設され且つ摩擦体３の外周面を包囲する筒状の側壁４３を備えることを要件とする。
【００１３】
前記第３の発明の熱変色性筆記具１は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、前記第３の発明の熱変色性筆記具１は、保護部材４を着脱する際に保護部材４の筒状の側壁４３を把持でき、保護部材４の着脱を容易に行うことができる。
【００１４】
本願の第４の発明は、前記第１乃至第３の発明の熱変色性筆記具１において、軸筒２の内部に熱変色性インキを収容し、前記軸筒２の前端に前記熱変色性インキが吐出可能なペン先２１を設け、前記軸筒２の後端に前記摩擦体３を設けたことを要件とする。
【００１５】
前記第４の発明の熱変色性筆記具１は、軸筒２の後端に摩擦体３を備えるため、摩擦体３を保護部材４で保護した状態でペン先２１を用いて筆記することができ、摩擦体３の使用時のみ、保護部材４を摩擦体３から取り外して使用でき、非使用時の摩擦体３の汚れをできる限り回避できる。
【００１６】
本願の第５の発明は、前記第４の発明の熱変色性筆記具１において、前記軸筒２内に筆記体を前後方向に移動可能に収容し、前記筆記体の内部に熱変色性インキを収容し、前記筆記体の前端に前記熱変色性インキが吐出可能なペン先２１を設け、前記軸筒２に操作部２２を設け、前記操作部２２を操作することにより前記筆記体のペン先２１を軸筒２の前端孔から出没可能に構成したことを要件とする。
【００１７】
前記第５の発明の熱変色性筆記具１は、非使用時の摩擦体３の汚れをできる限り回避できる出没式の熱変色性筆記具１が得られる。
【００１８】
本願の第６の発明は、前記第４の発明の熱変色性筆記具１において、前記軸筒２の前部外面及び後部外面に着脱自在に装着されるキャップ５を備え、前記キャップ５内面に、前記キャップ５内面と前記軸筒２後部外面とが嵌合する後ろ差し嵌合部５１を設け、前記キャップ５内面の後ろ差し嵌合部５１の内径を前記保護部材４の外径より大きく形成したことを要件とする。
【００１９】
前記第６の発明の熱変色性筆記具１は、前記キャップ５の後ろ差し嵌合部５１の内径を前記保護部材４の外径より大きく形成したことにより、キャップ５を軸筒２後部に装着する際（即ちキャップ後ろ差し時）、保護部材４がキャップ５の後ろ差しを阻害せず、スムーズなキャップ装着が可能となる。本発明で保護部材４の外径とは、保護部材４の最大外径をいう。
【００２０】
本願の第７の発明は、前記第１乃至第３の発明の熱変色性筆記具１において、軸筒２の内部に熱変色性インキを収容し、前記軸筒２の前端に前記熱変色性インキが吐出可能なペン先２１を設け、前記軸筒２の前部外面に着脱自在に装着されるキャップ５を備え、前記キャップ５の頂部外面に前記摩擦体３を設けたことを要件とする。
【００２１】
前記第７の発明の熱変色性筆記具１は、キャップ５の頂部外面に摩擦体３を備えるため、キャップ５をペン先側から取り外して、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００２２】
本願の第８の発明は、前記第１乃至第７の発明の熱変色性筆記具１において、取り外された前記保護部材４を前記摩擦体以外の部位に着脱自在に設けたことを要件とする。
【００２３】
前記第８の発明の熱変色性筆記具１は、摩擦体側から取り外された保護部材４の紛失を防ぐことができる。なお、前記摩擦体以外の部位は、例えば、軸筒、キャップ、操作部、クリップ等が挙げられる。
【００２４】
本願の第９の発明は、熱変色性インキの像または筆跡を摩擦しその際に生じる摩擦熱で該像または筆跡を熱変色可能な低磨耗性の弾性材料からなる摩擦体３を備えた摩擦具であって、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合した状態において、前記保護部材４の頂部が前記摩擦体３の頂部よりも外方に位置してなることを要件とする。
【００２５】
前記第９の発明の摩擦具６は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合した状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００２６】
また、本願の第９の発明の摩擦具６は、前記保護部材４と前記摩擦体３の取付孔３２内面とが着脱自在に嵌合（直接嵌合）してなることにより、摩擦体非使用時、筒状の保護部材４と、低摩耗性の弾性材料からなる摩擦体３の取付孔３２内面との安定した嵌合状態を維持でき、保護部材４が摩擦体３から不用意に脱落することを防止できる。前記保護部材４と前記摩擦体３の取付孔３２内面との嵌合は、例えば、圧入嵌合、凹凸嵌合、ネジ嵌合等が挙げられる。
【００２７】
本願の第１０の発明は、前記第９の発明の摩擦具６において、前記保護部材４が、取付孔３２内面と嵌合するロッド部４１と、該ロッド部４１と連設され且つ該ロッド部４１の外径より大きい外径を有する頂壁４２とを備えることを要件とする。
【００２８】
前記第１０の発明の摩擦具６は、前記保護部材４が、取付孔３２内面と嵌合するロッド部４１と、該ロッド部４１と連設され且つ該ロッド部４１の外径より大きい外径を有する頂壁４２とを備えることにより、前記摩擦体３の取付孔３２内面に前記ロッド部４１が嵌合された状態において、前記頂壁４２が摩擦体３の頂部よりも外方に位置してなる。それにより、保護部材４を着脱する際に保護部材４の頂壁４２を把持でき、保護部材４の着脱が容易となり、しかも、保護部材４の頂壁４２により摩擦体３の頂部の汚れを一層防止できる。本発明で、前記ロッド部４１の外径とは、ロッド部４１の最大外径をいい、前記頂壁４２の外径とは、頂壁４２の最大外径をいう。前記頂壁４２の外径は、前記取付孔３２の開口部内径より大きく設定されることが好ましい。
【００２９】
本願の第１１の発明は、前記第１０の発明の摩擦具６において、前記保護部材４が、前記頂壁４２と連設され且つ摩擦体３の外周面を包囲する筒状の側壁４３を備えることを要件とする。
【００３０】
前記第１１の発明の摩擦具６は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、前記第１１の発明の摩擦具６は、保護部材４を着脱する際に保護部材４の筒状の側壁４３を把持でき、保護部材４の着脱を容易に行うことができる。
【００３１】
本願の第１２の発明は、前記第９乃至第１１の発明の摩擦具６において、取り外された前記保護部材４を前記摩擦体以外の部位に着脱自在に設けたことを要件とする。
【００３２】
前記第１２の発明の摩擦具６は、摩擦体側から取り外された保護部材４の紛失を防ぐことができる。
【００３３】
本発明において、前記摩擦体３を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記弾性を有する合成樹脂は、高摩耗性の弾性材料（例えば、消しゴム等）からなるものではなく、摩擦時に摩耗カス（消しカス）が殆ど生じない低摩耗性の弾性材料からなる。本発明において、前記保護部材４は、合成樹脂（例えば、ポリカーボネイト、ポリエチレン、ポリプロピレン、ポリアセタール、ＡＢＳ樹脂等）から構成されることが好ましい。
【００３４】
本発明において、前記熱変色性インキは、加熱により変色または消色するタイプが好ましい。
【発明の効果】
【００３５】
本発明の熱変色性筆記具は、非使用時、摩擦体が汚れることを回避できる。
【００３６】
本発明の摩擦具は、非使用時、摩擦体が汚れることを回避できる。
【図面の簡単な説明】
【００３７】
【図１】本発明の第１の実施の形態の熱変色性筆記具の非使用時を示す一部縦断面図である。
【図２】図１の熱変色性筆記具の筆記使用時及び摩擦体使用時を示す一部縦断面図である。
【図３】本発明の第２の実施の形態の熱変色性筆記具の非使用時を示す一部縦断面図である。
【図４】図３の熱変色性筆記具の筆記使用時及び摩擦体使用時を示す一部縦断面図である。
【図５】図３の熱変色性筆記具のキャップ後ろ差し時を示す一部縦断面図である。
【図６】本発明の第３の実施の形態の熱変色性筆記具の非使用時を示す一部縦断面図である。
【図７】図６の摩擦体使用時を示す縦断面図である。
【図８】本発明の摩擦体と保護部材の第１の構成を示す一部縦断面図である。
【図９】本発明の摩擦体と保護部材の第２の構成を示す一部縦断面図である。
【図１０】本発明の摩擦体と保護部材の第３の構成を示す一部縦断面図である。
【図１１】本発明の摩擦体と保護部材の第４の構成を示す一部縦断面図である。
【図１２】本発明の第４の実施の形態の摩擦具の非使用時を示す一部縦断面図である。
【図１３】図１２の摩擦具の使用時を示す一部縦断面図である。
【発明を実施するための形態】
【００３８】
＜第１の実施の形態の熱変色性筆記具＞
図１乃至図３、及び図８に本発明の第１の実施の形態の熱変色性筆記具１を示す。
本実施の形態の熱変色性筆記具１は、出没式の熱変色性筆記具である。
本実施の形態の熱変色性筆記具１は、軸筒２と、前記軸筒２内に前後方向に移動可能に収容される筆記体（図示せず）と、前記筆記体のペン先２１を軸筒２の前端孔より出没させる操作部２２と、前記軸筒２の後端に設けた摩擦体３と、前記摩擦体３に着脱自在に装着される保護部材４とからなる。前記筆記体の内部には熱変色性インキを収容され、筆記体の前端には、前記熱変色性インキが吐出可能なペン先２１が設けられる。
【００３９】
本実施の形態の熱変色性筆記具１は、前記軸筒２の後部側壁より前後方向に移動可能な操作部２２（クリップ）を径方向外方に突設させ、前記操作部２２を前方にスライド操作することにより前記筆記体のペン先２１を軸筒２の前端孔から出没可能とする出没機構（サイドスライド式の出没機構）を備える。
【００４０】
前記出没機構は、これ以外にも、軸筒後端に設けた操作部を前方に押圧することによりペン先が出没する後端ノック式、軸筒側壁外面より突出する操作部を径方向内方に押圧することによりペン先が出没するサイドノック式、軸筒後部の操作部を回転操作することによりペン先が出没する回転式等が挙げられる。
【００４１】
前記軸筒２の後端には、低摩耗性の弾性材料（例えば、ＳＢＳ樹脂、ＳＥＢＳ樹脂、シリコーン樹脂）よりなる摩擦体３が固着され、前記摩擦体３が軸筒２後端より後方に突出される。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。
【００４２】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記保護部材４のスムーズな着脱を得るために、前記筒状の側壁４３と摩擦体３とは非接触状態が維持されることが好ましいが、両者は僅かに接触してもよい。前記保護部材４のロッド部４１の外面が、摩擦体３の取付孔３２内面と着脱自在に圧入嵌合される。前記嵌合構造は、圧入嵌合以外に、例えば、凹凸嵌合（図１０）、ネジ嵌合（図１１）等を採用することができる。
【００４３】
前記摩擦体３の内方（即ち摩擦体３の突出方向と反対側）には、段部８が形成され、前記摩擦体３の取付孔３２内面に前記保護部材４のロッド部４１外面を嵌合させた際、前記段部８と前記保護部材４の側壁４３端部または前記段部８と前記保護部材４の側壁４３内面とが当接される。前記段部８は、軸筒２または摩擦体３に形成される。
【００４４】
本実施の形態の熱変色性筆記具１は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合された状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００４５】
また、本実施の形態の熱変色性筆記具１は、前記保護部材４と前記摩擦体３の取付孔３２内面とが着脱自在に直接嵌合してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。
【００４６】
また、本実施の形態の熱変色性筆記具１は、前記保護部材４が、取付孔３２内面と嵌合するロッド部４１と、該ロッド部４１と連設され且つロッド部４１の外径より大きい外径を有する頂壁４２とを備えることにより、保護部材４を着脱する際に保護部材４の頂壁４２を把持でき、保護部材４の着脱が容易となり、しかも、保護部材４の頂壁４２により摩擦体３の頂部の汚れを一層防止できる。
【００４７】
また、本実施の形態の熱変色性筆記具１は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、本実施の形態の熱変色性筆記具１は、保護部材４を着脱する際に保護部材４の筒状の側壁４３を把持でき、保護部材４の着脱が容易に行うことができる。
【００４８】
また、本実施の形態の熱変色性筆記具１は、軸筒２の後端に摩擦体３を備えるため、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００４９】
また、本実施の形態の熱変色性筆記具１は、摩擦体３より取り外された保護部材４を摩擦体以外の部位（例えば、軸筒、操作部）に着脱自在に設けられる。本実施の形態では、具体的には、軸筒２の側壁に摩擦体係止部２３を設け、該摩擦体係止部２３に、摩擦体使用時、一時的に摩擦体３が係止される。それにより、摩擦体３から取り外された保護部材４の紛失を防ぐことができる。前記摩擦体係止部２３は、ロッド部４１が嵌合可能な係止孔を備える。また、前記摩擦体係止部２３は、保護部材４が有底筒状体からなる場合、保護部材４の側壁４３内に収容可能な突出壁部を備える。
【００５０】
＜第２の実施の形態の熱変色性筆記具＞
図３乃至図５、及び図８に本発明の第２の実施の形態の熱変色性筆記具１を示す。
本実施の形態の熱変色性筆記具１は、キャップ式の熱変色性筆記具である。
本実施の形態の熱変色性筆記具１は、熱変色性インキを内部に収容した軸筒２と、前記軸筒２の前端に設けられ、前記熱変色性インキが吐出可能なペン先２１と、前記軸筒２の後端に設けられた摩擦体３と、前記軸筒２のペン先側に着脱自在に装着されるキャップ５と、前記摩擦体３に着脱自在に装着される保護部材４とからなる。
【００５１】
前記軸筒２の後端には、低摩耗性の弾性材料（例えば、ＳＢＳ樹脂、ＳＥＢＳ樹脂、シリコーン樹脂）よりなる摩擦体３が固着され、前記摩擦体３が軸筒２後端より後方に突出される。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。
【００５２】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記保護部材４のスムーズな着脱を得るために、前記筒状の側壁４３と摩擦体３とは非接触状態が維持されることが好ましいが、両者は僅かに接触してもよい。前記保護部材４のロッド部４１の外面が、摩擦体３の取付孔３２内面と着脱自在に圧入嵌合される。前記嵌合構造は、圧入嵌合以外に、例えば、凹凸嵌合（図１０）、ネジ嵌合（図１１）等を採用することができる。
【００５３】
前記摩擦体３の内方（即ち摩擦体３の突出方向と反対側）には、段部８が形成され、前記摩擦体３の取付孔３２内面に前記保護部材４のロッド部４１外面を嵌合させた際、前記段部８と前記保護部材４の側壁４３端部または前記段部８と前記保護部材４の側壁４３内面とが当接される。前記段部８は、軸筒２または摩擦体３に形成される。
【００５４】
本実施の形態の熱変色性筆記具１は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合された状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００５５】
また、本実施の形態の熱変色性筆記具１は、前記保護部材４と前記摩擦体３の取付孔３２内面とが着脱自在に直接嵌合してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。
【００５６】
また、本実施の形態の熱変色性筆記具１は、前記保護部材４が、取付孔３２内面と嵌合するロッド部４１と、該ロッド部４１と連設され且つロッド部４１の外径より大きい外径を有する頂壁４２とを備えることにより、保護部材４を着脱する際に保護部材４の頂壁４２を把持でき、保護部材４の着脱が容易となり、しかも、保護部材４の頂壁４２により摩擦体３の頂部の汚れを一層防止できる。
【００５７】
また、本実施の形態の熱変色性筆記具１は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、本実施の形態の熱変色性筆記具１は、保護部材４を着脱する際に保護部材４の筒状の側壁４３を把持でき、保護部材４の着脱が容易に行うことができる。
【００５８】
また、本実施の形態の熱変色性筆記具１は、軸筒２の後端に摩擦体３を備えるため、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００５９】
本実施の形態の熱変色性筆記具１は、前記軸筒２の前部外面及び後部外面に着脱自在に装着されるキャップ５を備え、前記キャップ５内面に、前記キャップ５内面と前記軸筒２後部外面とが嵌合する後ろ差し嵌合部５１を設け、前記キャップ５内面の後ろ差し嵌合部５１の内径を前記保護部材４の外径より大きく形成した。それにより、キャップ５を軸筒２後部に装着する際（即ちキャップ後ろ差し時）、保護部材４がキャップ５の後ろ差しを阻害せず、スムーズなキャップ装着が可能となる。
【００６０】
また、本実施の形態の熱変色性筆記具１は、摩擦体３より取り外された保護部材４を摩擦体以外の部位（例えば、軸筒、キャップ、クリップ）に着脱自在に設けられる。本実施の形態では、具体的には、キャップ５の頂部に摩擦体係止部５３を設け、該摩擦体係止部５３に、摩擦体使用時、一時的に摩擦体３が係止される。それにより、摩擦体３からり取り外された保護部材４の紛失を防ぐことができる。前記摩擦体係止部５３は、ロッド部４１が嵌合可能な係止孔を備える。また、前記摩擦体係止部５３は、保護部材４が有底筒状体からなる場合、保護部材４の側壁４３内に収容可能な突出壁部を備える。
【００６１】
＜第３の実施の形態の熱変色性筆記具＞
図６乃至図８に本発明の第３の実施の形態の熱変色性筆記具１を示す。
本実施の形態の熱変色性筆記具１は、キャップ式の熱変色性筆記具である。
本実施の形態の熱変色性筆記具１は、熱変色性インキを内部に収容した軸筒２と、前記軸筒２の前端に設けられ、前記熱変色性インキが吐出可能なペン先２１と、前記軸筒２のペン先側に装着可能なキャップ５と、前記キャップ５の頂部に固着された、前記摩擦体３に着脱自在に装着される保護部材４とからなる。
【００６２】
前記キャップ５の頂部には、低摩耗性の弾性材料（例えば、ＳＢＳ樹脂、ＳＥＢＳ樹脂、シリコーン樹脂）よりなる摩擦体３がキャップ５頂部の摩擦体保持部５２に固着され、前記摩擦体３が摩擦体保持部５２より外方に突出される。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。
【００６３】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記保護部材４のスムーズな着脱を得るために、前記筒状の側壁４３と摩擦体３とは非接触状態が維持されることが好ましいが、両者は僅かに接触してもよい。前記保護部材４のロッド部４１の外面が、摩擦体３の取付孔３２内面と着脱自在に圧入嵌合される。前記嵌合構造は、圧入嵌合以外に、例えば、凹凸嵌合（図１０）、ネジ嵌合（図１１）を採用することができる。
【００６４】
前記摩擦体３の内方（即ち摩擦体３の突出方向と反対側）には、段部８が形成され、前記摩擦体３の取付孔３２内面に前記保護部材４のロッド部４１外面を嵌合させた際、前記段部８と前記保護部材４の側壁４３端部または前記段部８と前記保護部材４の側壁４３内面とが当接される。前記段部８は、軸筒２または摩擦体３に形成される。
【００６５】
本実施の形態の熱変色性筆記具１は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合された状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００６６】
また、本実施の形態の熱変色性筆記具１は、前記保護部材４と前記摩擦体３の取付孔３２内面とが着脱自在に直接嵌合してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。
【００６７】
また、本実施の形態の熱変色性筆記具１は、前記保護部材４が、取付孔３２内面と嵌合するロッド部４１と、該ロッド部４１と連設され且つロッド部４１の外径より大きい外径を有する頂壁４２とを備えることにより、保護部材４を着脱する際に保護部材４の頂壁４２を把持でき、保護部材４の着脱が容易となり、しかも、保護部材４の頂壁４２により摩擦体３の頂部の汚れを一層防止できる。
【００６８】
また、本実施の形態の熱変色性筆記具１は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、本実施の形態の熱変色性筆記具１は、保護部材４を着脱する際に保護部材４の筒状の側壁４３を把持でき、保護部材４の着脱が容易に行うことができる。
【００６９】
また、本実施の形態の熱変色性筆記具１は、キャップ５の頂部外面に摩擦体３を備えるため、キャップ５をペン先側から取り外して、摩擦体３を保護部材４で覆った状態でペン先２１による筆記することができ、摩擦体３の使用時のみ、保護部材４を摩擦体３から取り外して使用でき、非使用時の摩擦体３の汚れをできる限り回避できる。
【００７０】
また、本実施の形態の熱変色性筆記具１は、摩擦体３より取り外された保護部材４を摩擦体以外の部位（例えば、軸筒、キャップ、クリップ）に着脱自在に設けられる。本実施の形態では、具体的には、軸筒２の後端に摩擦体係止部２３を設け、該摩擦体係止部２３に、摩擦体使用時、一時的に摩擦体３が係止される。それにより、摩擦体３から取り外された保護部材４の紛失を防ぐことができる。前記摩擦体係止部２３は、ロッド部４１が嵌合可能な係止孔を備える。また、前記摩擦体係止部２３は、保護部材４が有底筒状体からなる場合、保護部材４の側壁４３内に収容可能な突出壁部を備える。
【００７１】
＜第４の実施の形態の摩擦具＞
図１２、図１３、及び図８に本発明の第４の実施の形態の摩擦具６を示す。
本実施の形態の摩擦具６は、本体７と、前記本体７の一端に設けた摩擦体３と、前記摩擦体３に着脱自在に嵌合される保護部材４とからなる。
【００７２】
前記本体７の一端には、低摩耗性の弾性材料（例えば、ＳＢＳ樹脂、ＳＥＢＳ樹脂、シリコーン樹脂）よりなる摩擦体３が固着され、前記摩擦体３が本体７の一端より外方に突出される。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。前記本体７の形状は、柱状、筒状、棒状等、把持可能であれば、何れであってもよい。
【００７３】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記保護部材４のスムーズな着脱を得るために、前記筒状の側壁４３と摩擦体３とは非接触状態が維持されることが好ましいが、両者は僅かに接触してもよい。前記保護部材４のロッド部４１の外面が、摩擦体３の取付孔３２内面と着脱自在に圧入嵌合される。前記嵌合構造は、圧入嵌合以外に、例えば、凹凸嵌合（図１０）、ネジ嵌合（図１１）等を採用することができる。
【００７４】
前記摩擦体３の内方（即ち摩擦体３の突出方向と反対側）には、段部８が形成され、前記摩擦体３の取付孔３２内面に前記保護部材４のロッド部４１外面を嵌合させた際、前記段部８と前記保護部材４の側壁４３端部または前記段部８と前記保護部材４の側壁４３内面とが当接される。前記段部８は、本体７または摩擦体３に形成される。
【００７５】
本実施の形態の摩擦具６は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合された状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００７６】
また、本実施の形態の摩擦具６は、前記保護部材４と前記摩擦体３の取付孔３２内面とが着脱自在に直接嵌合してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。
【００７７】
また、本実施の形態の摩擦具６は、前記保護部材４が、取付孔３２内面と嵌合するロッド部４１と、該ロッド部４１と連設され且つロッド部４１の外径より大きい外径を有する頂壁４２とを備えることにより、保護部材４を着脱する際に保護部材４の頂壁４２を把持でき、保護部材４の着脱が容易となり、しかも、保護部材４の頂壁４２により摩擦体３の頂部の汚れを一層防止できる。
【００７８】
また、本実施の形態の摩擦具６は、前記保護部材４が、前記頂壁４２と連設され且つ摩擦体３の外周面を包囲する筒状の側壁４３を備えることにより、摩擦体非使用時、ユーザーの指先や、摩擦体３と収容体内面（例えば、ペンケースの内面、ペン立ての底面、または衣服のポケット内面）との接触を確実に回避でき、摩擦体３が汚れることを確実に防止できる。また、本実施の形態の摩擦具は、保護部材４を着脱する際に保護部材４の筒状の側壁４３を把持でき、保護部材４の着脱が容易に行うことができる。
【００７９】
また、本実施の形態の摩擦具６は、摩擦体３より取り外された保護部材４を摩擦体以外の部位（例えば、本体の他端、本体の側壁）に着脱自在に設けられる。本実施の形態では、具体的には、本体７の他端に摩擦体係止部７１を設け、該摩擦体係止部７１に、摩擦体使用時、一時的に摩擦体３が係止される。それにより、摩擦体３から取り外された保護部材４の紛失を防ぐことができる。前記摩擦体係止部７１は、ロッド部４１が嵌合可能な係止孔を備える。また、前記摩擦体係止部７３は、保護部材４が有底筒状体からなる場合、保護部材４の側壁４３内に収容可能な突出壁部を備える。
【００８０】
尚、本発明の摩擦具６は、熱変色性筆記具を兼ねず、本体７内に熱変色性インキを備えないとともに、本体７の端部に熱変色性インキが吐出可能なペン先を備えない。
【００８１】
＜摩擦体と保護部材の第２の構成＞
図９に摩擦体３と保護部材４の他の構成（第２の構成）を示す。
本構成は、本発明の第１、第２、第３の実施の形態の熱変色性筆記具１、及び第４の実施の形態の摩擦具６に採用される。
摩擦体３は、低摩耗性の弾性材料（例えば、ＳＢＳ樹脂、ＳＥＢＳ樹脂、シリコーン樹脂）よりなる。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。
【００８２】
保護部材４は、合成樹脂（例えば、ポリカーボネイト、ポリプロピレン、ポリアセタール、ＡＢＳ樹脂等）からなる。前記保護部材４は、ロッド部４１と、該ロッド部４１と連設される頂壁４２（円板状頂壁）とからなる。前記頂壁４２の外径は、ロッド部４１より大きい外径を有するとともに摩擦体３の外径より大きく形成される。前記保護部材４のロッド部４１の外面が、摩擦体３の取付孔３２内面と着脱自在に嵌合される。前記嵌合構造は、圧入嵌合以外に、例えば、凹凸嵌合（図１０）、ネジ嵌合（図１１）等を採用することができる。
【００８３】
本構成を採用した熱変色性筆記具１及び摩擦具６は、前記摩擦体３の頂部に取付孔３２を設け、前記摩擦体３の取付孔３２内面と着脱自在に嵌合する保護部材４を備え、前記摩擦体３の取付孔３２内面に前記保護部材４が嵌合された状態において、前記保護部材４の頂部が前記摩擦体３の頂部よりも外方（即ち摩擦体突出方向外方）に位置してなることにより、摩擦体非使用時、ユーザーの指先との接触や、摩擦体３と収容体内面（例えば、ペンケースの内面、ペン立ての底面、または衣服のポケット内面）との接触を回避でき、摩擦体３に手垢や埃等が付着すること（即ち摩擦体が汚れること）を防止できる。
【００８４】
また、本構成を採用した熱変色性筆記具１及び摩擦具６は、前記保護部材４と前記摩擦体３の取付孔３２内面とが着脱自在に直接嵌合してなることにより、摩擦体非使用時、保護部材４と、低摩耗性の弾性材料からなる摩擦体３の取付孔３２内面との安定した嵌合状態を維持でき、保護部材４が摩擦体３から不用意に脱落することを防止できる。
【００８５】
また、本構成を採用した熱変色性筆記具１及び摩擦具６は、前記保護部材４が、取付孔３２内面と嵌合するロッド部４１と、該ロッド部４１と連設され且つロッド部４１の外径より大きい外径を有する頂壁４２とを備えることにより、保護部材４を着脱する際に保護部材４の頂壁４２を把持でき、保護部材４の着脱が容易となり、しかも、保護部材４の頂壁４２により摩擦体３の頂部の汚れを一層防止できる。
【００８６】
＜摩擦体と保護部材の第３の構成＞
図１０に摩擦体３と保護部材４の他の構成（第３の構成）を示す。
本構成は、図８の構成の変形例である。
本構成は、本発明の第１、第２、第３の実施の形態の熱変色性筆記具１、及び第４の実施の形態の摩擦具６に採用される。
摩擦体３は、低摩耗性の弾性材料（例えば、ＳＢＳ樹脂、ＳＥＢＳ樹脂、シリコーン樹脂）よりなる。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。前記取付孔３２の内面には、内向突起３２ａが形成される。
【００８７】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記ロッド部４１の外面に外向突起４１ａが形成される。取付孔３２内面にロッド部４１外面を嵌合させた際、前記外向突起４１ａと前記内向突起３２ａとが乗り越え係止される。即ち、取付孔３２内面とロッド部４１外面とが凹凸嵌合される。即ち、前記保護部材４のロッド部４１の外面が、摩擦体３の取付孔３２内面と着脱自在に嵌合される。前記保護部材４のスムーズな着脱を得るために、前記筒状の側壁４３と摩擦体３とは非接触状態が維持されることが好ましいが、両者は僅かに接触してもよい。
【００８８】
前記摩擦体３の内方（即ち摩擦体３の突出方向と反対側）には、段部８が形成され、前記摩擦体３の取付孔３２に前記保護部材４のロッド部４１を嵌合させた際、前記段部８と前記保護部材４の側壁４３端部または前記段部８と前記保護部材４の側壁４３内面とが当接される。前記段部８は、熱変色性筆記具１の場合は、軸筒２または摩擦体３に形成され、摩擦具６の場合、本体７または摩擦体３に形成される。
【００８９】
本構成を採用した熱変色性筆記具１及び摩擦具６は、第１乃至第３の実施の形態の熱変色性筆記具１及び第４の実施の形態の摩擦具６と同様の作用効果を奏する。
【００９０】
＜摩擦体と保護部材の第４の構成＞
図１１に摩擦体３と保護部材４の他の構成（第４の構成）を示す。
本構成は、図８の構成の変形例である。
本構成は、本発明の第１、第２、第３の実施の形態の熱変色性筆記具１、及び第４の実施の形態の摩擦具６に採用される。
摩擦体３は、低摩耗性の弾性材料（例えば、ＳＢＳ樹脂、ＳＥＢＳ樹脂、シリコーン樹脂）よりなる。前記摩擦体３の頂壁外面は平面状となり、摩擦体３の側壁外面はストレート状（直円筒状）またはテーパ状となり、前記摩擦体３の頂壁と摩擦体３の側壁との間は、凸曲面状外面により接続される。前記頂壁の平面状外面、及び前記頂壁と摩擦体３の側壁との間の凸曲面状外面が、紙面上の熱変色性インキの筆跡を摩擦する摩擦部３１となる。前記摩擦体３の頂壁の中心部には取付孔３２が設けられる。前記取付孔３２の内面には、メネジ部３２ｂが形成される。
【００９１】
前記保護部材４は、合成樹脂（例えば、ポリカーボネイト、ポリエチレン、ポリプロピレン、ポリアセタール、ＡＢＳ樹脂等）からなる。前記保護部材４は、ロッド部４１と、該ロッド部４１と連設される頂壁４２と、該頂壁４２に連設され且つ前記ロッド部４１を包囲する筒状の側壁４３とからなる一端が開口された有底筒状体（例えば有底円筒体）である。前記ロッド部４１の外面にオネジ部４１ｂが形成される。取付孔３２内面にロッド部４１外面を嵌合させた際、前記オネジ部４１ｂと前記メネジ部３２ｂとが螺合される。即ち、取付孔３２内面とロッド部４１外面とがネジ嵌合される。即ち、前記保護部材４のロッド部４１の外面が、摩擦体３の取付孔３２内面と着脱自在に嵌合される。前記保護部材４のスムーズな着脱を得るために、前記筒状の側壁４３と摩擦体３とは非接触状態が維持されることが好ましいが、両者は僅かに接触してもよい。
【００９２】
前記摩擦体３の内方（即ち摩擦体３の突出方向と反対側）には、段部８が形成され、前記摩擦体３の取付孔３２に前記保護部材４のロッド部４１を嵌合させた際、前記段部８と前記保護部材４の側壁４３端部または前記段部８と前記保護部材４の側壁４３内面とが当接される。前記段部８は、熱変色性筆記具１の場合は、軸筒２または摩擦体３に形成され、摩擦具６の場合、本体７または摩擦体３に形成される。
【００９３】
本構成を採用した熱変色性筆記具１及び摩擦具６は、第１乃至第３の実施の形態の熱変色性筆記具１及び第４の実施の形態の摩擦具６と同様の作用効果を奏する。
【符号の説明】
【００９４】
１  熱変色性筆記具
２  軸筒
２１  ペン先
２２  操作部
２３  摩擦体係止部
３  摩擦体
３１  摩擦部
３２  取付孔
３２ａ  内向突起
３２ｂ  メネジ部
４  保護部材
４１  ロッド部
４１ａ  外向突起
４１ｂ  オネジ部
４２  頂壁
４３  側壁
５  キャップ
５１  後ろ差し嵌合部
５２  摩擦体保持部
５３  摩擦体係止部
６  摩擦具
７  本体
７１  摩擦体係止部
８  段部
【図１】
2014141078.tif 000003
【図２】
2014141078.tif 000004
【図３】
2014141078.tif 000005
【図４】
2014141078.tif 000006
【図５】
2014141078.tif 000007
【図６】
2014141078.tif 000008
【図７】
2014141078.tif 000009
【図８】
2014141078.tif 000010
【図９】
2014141078.tif 000011
【図１０】
2014141078.tif 000012
【図１１】
2014141078.tif 000013
【図１２】
2014141078.tif 000014
【図１３】
2014141078.tif 000015